(57)【要約】【課題】金尺に簡易に取り付けることができ、目視により簡便に精度よく長さの測定が可能で携帯に便利な可動バーニアを提供することである。【解決手段】直尺２に外嵌し、該直尺２の長手方向に摺動可能な可動バーニア１であって、該可動バーニア１は合成樹脂成形品からなり、該可動バーニア１は前記直尺２の幅方向の両端面を挟持する一対の挟持部１３を有し、該一対の挟持部１３は、直尺２の長手方向において少なくとも一部が直尺２の幅と同じか、該幅よりも小さい間隙を有する。【選択図】図１
0003123375.tif 000002
【実用新案登録請求の範囲】
【請求項１】
直尺に外嵌し、該直尺の長手方向に摺動可能な可動バーニアであって、前記可動バーニアは合成樹脂成形品からなることを特徴とする可動バーニア。
【請求項２】
前記直尺は１５０ｍｍ金属製直尺であることを特徴とする請求項１記載の可動バーニア。
【請求項３】
両端に直尺挿通孔を有し、該挿通孔に直尺を挿通させた状態で、表面に直尺の目盛を露出させる窓部が形成され、かつ該窓部の上部に目盛が付されている請求項１または２記載の可動バーニア。
【請求項４】
前記可動バーニアは、前記直尺の幅方向の両端面を挟持する一対の挟持部を有し、該一対の挟持部は、直尺の長手方向において少なくとも一部が直尺の幅と同じか、該幅よりも小さい間隙を有することを特徴とする請求項１〜３のいずれかに記載の可動バーニア。
【請求項５】
金属製直尺と請求項１〜４のいずれかに記載の可動バーニアとを組み合わせて用いることを特徴とする測定工具。
【請求項６】
前記金属製直尺が１５０ｍｍ直尺であることを特徴とする請求項５記載の測定工具。
【考案の詳細な説明】
【技術分野】
【０００１】
本考案は、金属製直尺に取り付けて目視により簡便に精度よく長さの測定が可能な可動バーニアに関する。
【背景技術】
【０００２】
従来より、被測定物の被測定部位の長さを測定する測定器としてノギスが知られている。このノギスは、一方の測定ジョーを有する直尺と、この直尺の長手方向へ摺動自在に設けられ前記一方の測定ジョーとともに被測定物に当接される測定ジョーを有するスライダとを備えて構成されている。このようなノギスにおいては、測定精度を維持でき、かつ、直尺とスライダの摺動に耐えるため、一般に、金属（例えば、ステンレスなど)で形成されており、精度のよい測定が可能である。しかしながら、常時携帯して簡便に測定するといった場合には、不便である。
【０００３】
そこで、例えば、特許文献１では、直尺に簡易に取り付けることのできるバーニア目盛の刻印された移動ジョーを提案している。これによれば、市販の物差しにも取り付けて使用することができ、持ち運びにも便利である。しかしながら、被測定物に当接して位置決めをする際には移動ジョーを固定するために止めネジにより固定する必要があり、両手が使えない場合や片手で簡易に測定するといった場合には不便である。また、金属製のものは高価なものとなる。
【０００４】
【特許文献１】実開昭６３−２００１０１号公報
【考案の開示】
【考案が解決しようとする課題】
【０００５】
本考案は、上記問題点に鑑みてなされたものであって、特に金属製直尺に簡易に取り付けることができ、目視により簡便に精度よく長さの測定が可能で携帯に便利で安価な可動バーニアを提供することを課題とする。
【課題を解決するための手段】
【０００６】
本考案の可動バーニアは、直尺に外嵌し、該直尺の長手方向に摺動可能な可動バーニアであって、前記可動バーニアは合成樹脂成形品からなることを特徴とする。
前記直尺は１５０ｍｍ金属製直尺であるのがよい。
また、前記可動バーニアは両端に直尺挿通孔を有し、該挿通孔に直尺を挿通させた状態で、表面に直尺の目盛を露出させる窓部が形成され、かつ該窓部の上部に目盛が付されているのがよい。
そして、前記可動バーニアは、前記直尺の幅方向の両端面を挟持する一対の挟持部を有し、該一対の挟持部は、直尺の長手方向において少なくとも一部が直尺の幅と同じか、該幅よりも小さい間隙を有することが好ましい。  
本考案の測定工具は、前記直尺が１５０ｍｍ金属製直尺であり、該直尺と、本考案の可動バーニアと組み合わせて用いることを特徴とする。
【考案の効果】
【０００７】
本考案の可動バーニアは、直尺に外嵌でき、該直尺の長手方向に滑らかに摺動可能なように合成樹脂成形品により形成されているので、安価に製造することができるとともに、簡易に直尺に取り付けることができ、目視により簡便に精度良く長さを測定できる。しかも、１５０ｍｍ金属製直尺に好適に用いられ携帯して利用するのに適している。
【考案を実施するための最良の形態】
【０００８】
図１は本考案の一実施形態に係る可動バーニアを示している。図２は可動バーニア１を直尺２に取り付けた状態を示している。図１，２に示すように、本考案の可動バーニア１は、両端に直尺挿通孔１７ａ、１７ｂを有しており、該挿通孔１７ａ、１７ｂに直尺２を挿通させた状態で、表面に直尺２の目盛を露出させる窓部１８が形成され、かつ、該窓部１８の上部には目盛１２が付されている。前記挿通孔１７ａ、１７ｂの開口部は、直尺２の両主面に対向する側が内側に向けて凸状にわずかに湾曲した形状を形成している。これにより直尺２の両主面を適切な力で挟持し、前記可動バーニア１を前記直尺２の長手方向に滑らかに摺動させることができる。
また、本考案の可動バーニア１は、直尺２の幅方向の両端面を挟持する一対の挟持部１３ａ、１３ｂを有しており、該一対の挟持部は、直尺２の長手方向において少なくとも一部が直尺２の幅と同じか、該幅よりも小さい間隙を有しているのがよい。好ましくは、前記挟持部の一方側１３ｂが直尺２の端面側に向けて凸状に湾曲した形状を有し、直尺２の長手を押圧する押圧力付与部１４を形成しているのがよい。これにより、直尺２の長手を押圧する押圧力付与部１４を介して直尺２を挟持し、前記可動バーニア１を前記直尺２の長手方向に滑らかに摺動させることができる。また、直尺２の保持も兼ねた、可動バーニア１の長手方向の一端側に設けられ被測定物の被測定部位に当接される測定ジョー１１と保持部材１６とで直尺２を保持する。前記測定ジョー１１と保持部材１６にはそれぞれ直尺２を挿嵌できる挿通孔１７ａ、１７ｂが設けられている。また、直尺目盛２２に対して補助目盛となるバーニア目盛１２を備えて構成されている。本考案の可動バーニア１は、長手方向に略平行に補強部材１５を設けるのが好ましい。これにより、繰り返される摺動に対しても変形することなく安定した摺動操作が可能となる。
【０００９】
図２において、可動バーニア１は、上記したように、直尺２を摺動方向に対して幅方向から挟みこむ一対の挟持部１３ａ、１３ｂを備え、挟持部１３の一方側１３ｂには一端が可動バーニア１に一体的に連結され他端が直尺２に向かって突き出し摺動方向と略平行に設けられた押圧力付与部１４が形成されている。この押圧力付与部１４による直尺２への押圧力によって、他方の挟持部１３ａが直尺２に密接する構成となる。この可動バーニア１は、測定ジョー１１、挟持部１３ａ、１３ｂ、押圧力付与部１４、補強部材１５とを含んで、合成樹脂によって一体成形されている。この成形は射出成形によって形成されるのが好ましい。
【００１０】
本考案に係る合成樹脂としては、ポリアセタール樹脂が好適に用いられる。しかしながら、機械的性質、耐摩擦・耐摩耗性に優れ自己潤滑性を有したものであれば、特に限定されるものではない。各種のエンジニアリングプラスチックが使用可能である。
【００１１】
上記した構成によれば、可動バーニア１の挟持部１３が直尺２の長手を挟持することによって、可動バーニア１は直尺２の長手に沿って摺動自在となる。挟持部１３の一方に設けられた押圧力付与部１４から直尺２に押圧力が付与されることにより、挟持部１３の他方１３ａが直尺２に密接され、可動バーニア１と直尺２との間のがたをなくす。すなわち、押圧力付与部１４は合成樹脂からなり、これに弾力を付与することができるので、この押圧力付与部１４にばねとしての機能を発揮させることができる。よって、可動バーニア１と直尺２の間に押圧機構として別個に板ばねなどを設ける必要がなくなる。また、可動バーニア１にポリアセタール等の合成樹脂を用いた場合、摺動性、耐摩耗性に優れているので、潤滑剤も必要なく、また、耐用年数も長い可動バーニアとすることができる。さらに、この押圧力付与部１４が可動バーニア１とともに一体形成されているので、可動バーニア１の製造工程が簡便となり、製造コストを削減することができる。
【００１２】
本考案の可動バーニア１は、１５０ｍｍ金属製直尺に好適に用いられる。１５０ｍｍ金属製直尺はＪＩＳ規格の中で最も短い物差しであり、これに本考案の可動バーニア１を用いることにより、持ち運びに便利で、簡便に精度良く長さを測定することが可能となる。特に常時携帯して使用するのに適している。
【００１３】
なお、本考案は上記の実施形態に限定されるものではなく、実用新案登録請求の範囲内で種々の変更や改善が可能である。
【図面の簡単な説明】
【００１４】
【図１】本考案の一実施形態に係る可動バーニアを示す斜視図である。
【図２】本考案に係る可動バーニアの使用状態を示す平面図である。
【図３】本考案に係る可動バーニアの図２のＸ−Ｘ線断面図である。
【符号の説明】
【００１５】
１・・・可動バーニア
２・・・直尺
１１・・・測定ジョー
１２・・・バーニア目盛
１３ａ・・挟持部
１３ｂ・・挟持部
１４・・・押圧力付与部
１７ａ・・挿通孔
１７ｂ・・挿通孔
１８・・・窓部
【図１】
0003123375.tif 000003
【図２】
0003123375.tif 000004
【図３】
0003123375.tif 000005